(57)【要約】  【課題】  全体としての小型化を図りつつ、記録媒体の装着スペースも無理なく確保できるようにした撮像装置を提供する。  【解決手段】  撮像装置は、撮像素子２８と、記録媒体２３が着脱可能に装着される媒体装着部２４とを有する。撮像素子の受光面２８ａの中心を通り、該受光面に直交する軸を第１の軸Ｅとするとき、該撮像装置の上面視断面において、媒体装着部を、該撮像装置の外形部のうち第１の軸から最も遠い点２０ａを通って該第１の軸に対して直交する第１の線Ｆ上に配置する。【選択図】  図１
2006319805.tif 000002
【特許請求の範囲】
【請求項１】
撮像素子と、
記録媒体が着脱可能に装着される媒体装着部とを有し、
前記撮像素子の受光面の中心を通り、該受光面に直交する軸を第１の軸とするとき、
該撮像装置の上面視断面において、前記媒体装着部は、該撮像装置の外形部のうち前記第１の軸から最も遠い点を通って該第１の軸に対して直交する第１の線上に配置されており、
かつ該撮像装置の正面視断面において、前記媒体装着部は、該媒体装着部に装着された前記記録媒体の中心線が、該撮像装置の外形部のうち前記第１の軸から最も遠い点を通って該第１の軸に対して直交する第２の線に略一致するように配置されていることを特徴とする撮像装置。
【請求項２】
前記上面視断面において、前記媒体装着部は、該媒体装着部に装着された前記記録媒体上を前記第１の線が通るように配置されていることを特徴とする請求項１に記載の撮像装置。
【請求項３】
前記上面視断面において、前記媒体装着部は、該媒体装着部に装着された前記記録媒体の中心線が前記第１の線に略一致するように配置されていることを特徴とする請求項２に記載の撮像装置。
【請求項４】
前記最も遠い点は、該撮像装置のグリップ部における曲面の頂点であることを特徴とする請求項１から３のいずれか１つに記載の撮影装置。
【請求項５】
前記媒体装着部は、前記撮像装置の底面側から前記記録媒体の着脱を行うように設けられていることを特徴とする請求項１から４のいずれか１つに記載の撮像装置。
【発明の詳細な説明】
【技術分野】
【０００１】
本発明は、一眼レフデジタルカメラ、レンズ一体型デジタルカメラ等の撮像装置に関し、特に記録媒体の着脱が可能な撮像装置に関するものである。
【背景技術】
【０００２】
図５（ａ），（ｂ）には、着脱が可能な外部メモリ１２３が装着された状態における従来の一眼レフデジタルカメラの上面視断面および正面視断面をそれぞれ示している。外部メモリ１２３は、不図示の撮像素子により取得された画像の情報を記録するカード型の記録媒体である。
【０００３】
図５（ａ）に示す上面視断面において、外部メモリ１２３が装着されるメモリソケット（メモリスロット）１３０は、撮影素子の受光面の中心を通り、該受光面に直交する軸（交換レンズがミラーボックス１２１の前端部に設けられたマウント１２１ａに装着された場合には、該交換レンズの光軸に一致する軸）Ｅに直交する線であって、カメラボディ１０１の外形部のうち軸Ｅから最も遠い点であるグリップ部１２０の円弧形状の頂点１２０ａを通る線Ｆに対して平行に、カメラボディ１０１の背面寄りの位置に配置されている。なお、線Ｆ上には、電池１２５が配置されている。
【０００４】
また、図５（ｂ）に示す正面視図において、メモリソケット１３０は、カメラボディ１０１の外形部のうち軸Ｅから最も遠いグリップ部１２０の円弧形状の頂点１２０ｂを通り、軸Ｅに対して直交する線Ｇに対して、該外部メモリ１２３の上下方向の中心線１２３ｂが上側に位置するように配置されている。
【０００５】
また、メモリソケット１３０に対する外部メモリ１２３の着脱方向はグリップ部１２０の側面から行われる。そして、外部メモリ１２０の挿入口を覆うメモリ蓋１２９はグリップ部１２０に対してヒンジ１２９ａにより回転可能に組み付けられている。メモリ蓋１２９の先端には、ラッチ爪１２９ｂが形成されており、該ラッチ爪１２９ｂがグリップ部１２０に係合することで、メモリ蓋１２９が閉じ状態にロックされる。
但し、図５（ａ）に示したレイアウトによると、メモリソケット１３０および外部メモリ１２３は、カメラボディ１０１内において、背面寄りの位置に配置されているため、外部メモリ１２３を円弧形状のグリップ部２０の背面側部分（メモリ蓋１２９）で覆うためには該グリップ部１２０の背面側部分を軸Ｅから遠ざける必要がある。したがって、グリップ部１２０の頂点１２０ａがより軸Ｅから遠くなり、カメラボディ１の左右方向の小型化が阻害される。
【０００６】
しかも、メモリ蓋１２９のロック機構を配置する関係上、外部メモリ１２３とメモリ蓋１２９との間に十分な隙間が必要である。さらに、メモリ蓋１２９の強度を確保するため、メモリ蓋１２９にはある程度の厚みが必要となるので、このことによってもカメラボディ１０１の左右方向の小型化が難しい。
【０００７】
ここで、特許文献１では、カメラの上面視断面において、メモリソケットをカメラボディにおけるグリップ部の最も左右方向幅が大きい部分内に設けたカメラが提案されている。このようなメモリソケットの配置を図５（ａ）に示すカメラに適用することで、グリップ部１２０の頂点１２０ａを軸Ｅに近づけて、カメラボディ１０１の左右方向の小型化が図れるようにも考えられる。
【特許文献１】特開２００１−２１８０８５号公報(段落００３１、図６)
【発明の開示】
【発明が解決しようとする課題】
【０００８】
しかしながら、図５（ｂ）に示すように、カメラの正面視断面において、外部メモリ１２３が、線Ｇに対して該メモリ１２３の上下方向の中心線１２３ｂが上側に位置するように配置されていると、グリップ部１２０の上側のコーナー部１２０ｃがメモリ１２３の上側の角部１２３ｃに干渉する可能性があるので、これ以上、グリップ部１２０の側面（頂点）を軸Ｅに近づけることができない。その結果、カメラの小型化を図ることが難しくなる。
【０００９】
そこで、本発明は、撮像装置全体としての小型化を図りつつ、記録媒体の装着スペースも無理なく確保できるようにした撮像装置を提供することを目的の１つとしている。
【課題を解決するための手段】
【００１０】
本発明の一側面としての撮像装置は、撮像素子と、記録媒体が着脱可能に装着される媒体装着部とを有する。撮像素子の受光面の中心を通り、該受光面に直交する軸を第１の軸とするとき、該撮像装置の上面視断面において、媒体装着部は、該撮像装置の外形部のうち第１の軸から最も遠い点を通って該第１の軸に対して直交する第１の線上に配置され、かつ該撮像装置の正面視断面において、媒体装着部は、該媒体装着部に装着された記録媒体の中心線が、該撮像装置の外形部のうち第１の軸から最も遠い点を通って該第１の軸に対して直交する第２の線に略一致するように配置されていることを特徴とする。
【発明の効果】
【００１１】
本発明によれば、撮像装置の外形を有効に利用して記録媒体の装着スペースを確保するため、撮像装置を従来に比べてさらに小型化することができる。
【発明を実施するための最良の形態】
【００１２】
以下、本発明の実施例について図面を参照しながら説明する。
【実施例１】
【００１３】
図１〜図３には、本発明の実施例１である電子機器としての一眼レフデジタルカメラの構成を示している。
【００１４】
まず、図２には、本実施例のカメラの外観を示している。図２において、１はカメラボディであり、その前面（正面）には、不図示のマウントを介して交換レンズ７が装着されている。
【００１５】
２はカメラボディ１に対してポップアップが可能なフラッシュユニット（図では、ポップダウン状態を示す）である。３はカメラボディ１の上部外装であり、４は撮影モードを変更するためのダイヤルである。
【００１６】
カメラボディ１のうち正面から見て左側の部分には、撮影者が手で握るためのグリップ部２０が形成されている。このグリップ部２０の上面には、レリーズボタン５が配置されている。また、６はカメラボディ１の前部外装である。
【００１７】
Eは交換レンズ７の光軸（以下、撮影光軸という）、８はフラッシュユニット２のポップダウン状態での係止を手動で解除してポップアップさせるためのポップアップボタンである。９は交換レンズ７の装着ロックを解除するためのロック解除ボタンである。
【００１８】
図１（ａ），（ｂ）はそれぞれ、本実施例におけるカメラの上面視断面および正面視断面を模式的に示している。ここで、カメラの上面とは、フラッシュユニット２やレリーズボタン５が設けられた側の面をいい、通常のいわゆる正姿勢撮影において上側に位置する面である。上面視断面は、カメラボディ１を上方から見たときの内部構成を示す断面である。また、カメラの正面とは、交換レンズ７が装着されるマウント２１ａが設けられた面であり、被写体に対向する面である。正面視断面は、カメラボディ１を正面から見たときの内部構成を示す断面である。なお、マウント２１ａは、不図示のクイックリターンミラーを保持するミラーボックス２１の前端部に固定されている。
【００１９】
図１（ａ），（ｂ）において、カメラボディ１内のグリップ部２０寄りの部分には、主電源電池２５と、外部メモリ２３が取り外し可能に装着されるメモリソケット（メモリスロット：媒体装着部）２４とが収容されている。メモリソケット２４は、半導体メモリ等のカード型メモリである外部メモリ２３が挿入されるスロットを有する。また、メモリソケット２４には、該ソケット２４に装着された外部メモリ２３と電気的に接続されるコネクタ（図示せず）が設けられており、該コネクタは基板３０に実装され、該基板３０を介して不図示のカメラＣＰＵや画像処理回路に接続されている。メモリソケット２４は主電源電池２５の背後に配置され、基板３０はメモリソケット２４の背後に配置されている。
【００２０】
また、カメラボディ１内におけるマウント２１ａの後方には、ＣＣＤセンサやＣＭＯＳセンサからなる撮像素子２８が設けられている。図２に示した交換レンズ７がマウント２１に装着されたとき、撮影光軸Ｅは撮像素子２８の受光面２８ａの中心を通り、かつ該受光面２８ａに対して直交する。以下、撮像素子２８の受光面２８ａの中心を通り、該受光面２８ａに対して直交する線（第１の線）を撮影光軸Ｅとして説明する。
【００２１】
図１（ａ）の上面視断面において、メモリソケット２４は、撮影光軸Ｅに直交する直線のうち、グリップ部２０の側面を構成する半径Ｒ１の円弧部の頂点２０ａを通る直線Ｆ上に、該直線Ｆに略平行に配置されている。頂点２０ａは、上面視断面において、カメラボディ１上の点のうち撮影光軸Ｅから最も遠い点である。さらに言えば、本実施例では、メモリソケット２４は、該メモリソケット２４に装着された外部メモリ２３の中心線２３ａが、直線Ｆに略一致するように配置されている。略一致とは、完全な一致のみでなく、誤差範囲の小さなずれがある場合も含む意味であり、以下の説明においても同様である。
【００２２】
なお、本実施例では、外部メモリ２３の中心線２３ａと直線Ｆとが略一致する場合について説明するが、外部メモリ２３の中心線２３ａと直線Ｆとが略一致しなくても、メモリソケット２４上のいずれかを直線Ｆが通る関係があればよい。
【００２３】
また、図１（ｂ）の正面視断面において、メモリソケット２４は、該メモリソケット２４に装着された外部メモリ２３の中心線２３ｂが、撮影光軸Ｅに直交する直線のうちグリップ部２０の側面を構成する半径Ｒ２の円弧部の頂点２０ｂを通る直線Ｇに略一致するように配置されている。頂点２０ｂは、正面視断面において、カメラボディ１上の点のうち撮影光軸Ｅから最も遠い点である。なお、本実施例では、直線Ｇは、撮影光軸Ｅよりも下側に位置する。
【００２４】
図３（ａ），（ｂ）には、カメラボディ１を下側から見た図を示している。外部メモリ２３と主電源電池２５は、カメラボディ１の底面側に設けられたメモリ挿入用開口部２４ａおよび電池挿入用開口部２６ａを通してそれぞれ、カメラボディ１内の電池室２６およびメモリソケット２４に挿入される。
【００２５】
該開口部２４ａ，２６ａの双方を開閉する蓋部材２７は、カメラボディ１の底面にヒンジ部２７ａを介して回動可能に組み付けられている。蓋部材２７の先端に形成された係止爪２８は、該蓋部材２７が閉じた状態でカメラボディ１に係合する。これにより、該蓋部材２７が閉じ状態にロックされる。係止爪２８に一体的に設けられたノブ２８ａを後方（図中の下方向）にスライドさせることで、係止爪２８とカメラボディ１との係合を解除することができ、蓋部材２７を開けることができる。このように、メモリ挿入用開口部２４ａおよび電池挿入用開口部２６ａに対して共通の蓋部材２７を設けることにより、それぞれに専用の蓋部材を設ける場合に比べて部品点数を削減することができる。
【００２６】
次に、メモリソケット２４を前述したように配置することによって、カメラボディ１（特に、左右方向）の小型化ができることについて、図４（ａ），（ｂ）を用いて説明する。
【００２７】
図４（ａ）は、図１（ａ）と同様のカメラボディ１の上面視断面を示しており、先に説明したように、メモリソケット２４は直線Ｆ上に配置され、該メモリソケット２４に装着された外部メモリ２３の中心線２３ａが直線Ｆに略一致している。また、図４（ｂ）は、図５（ａ）に示した従来のカメラにおけるカメラボディ１０１の上面視断面を示している。なお、図４（ｂ）において、図５（ａ）と同じ構成部分については図５（ａ）と同符号を付している。
【００２８】
図４（ａ），（ｂ）において、グリップ部２０，１２０の形状が同一で、ミラーボックス２１，１２１の側面からメモリソケット２４，１２４に装着された外部メモリ２３，１２３の端面までの距離をいずれもｘ１とする。また、外部メモリ２３，１２３の左右方向の長さをいずれもａとし、外部メモリ２３と頂点２０ａ，１２０ａまでの左右方向距離をｂとする。
【００２９】
この場合において、グリップ部２０，１２０の外形の曲面形状によって、グリップ部２０の円弧部の頂点を通る直線Ｆ上にメモリソケット２４を配置した図４（ａ）の場合は、グリップ部２０の円弧部の頂点１２０ａから外れた位置に配置した図４（ｂ）の場合に比べてΔｘだけ、グリップ部２０の頂点２０ａを撮影光軸Ｅに近づけることができる。すなわち、Δｘ分、カメラボディ１の左右方向寸法を小さくすることができる。
【００３０】
このことは、本実施例のように外部メモリ２３の中心線２３ａと直線Ｆとが略一致しなくても、メモリソケット２４上のいずれかを直線Ｆが通る関係があれば成り立つ。
【００３１】
一方、正面視断面図である図１（ｂ）と図５（ｂ）との比較から分かるように、グリップ部２０ａの外側面（頂点２０ａ）をΔｘ分だけ撮影光軸Ｅ側に近づけると、グリップ部２０の上側のコーナー部２０ｃも撮影光軸Ｅ側に近づき、該コーナー部２０ｃが外部メモリ２３に干渉する可能性がある。しかし、本実施例では、メモリソケット２４を、装填された外部メモリ２３の上下方向中心線２３ｂが直線Ｇに略一致するように配置し、図５（ｂ）に比べて外部メモリ２３の位置を下げることにより、そのような干渉を回避している。つまり、メモリソケット２４や装填された外部メモリ２３
さらに、図３（ａ）、（ｂ）で説明したように、メモリ挿入用開口部２４ａをカメラボディ１の底面側に設け、底面側から外部メモリ２３の着脱を行うようにしたことにより、図５（ｂ）に示すように側面から着脱を行うためにグリップ部１２０の側面に、厚い蓋部材１２９や突出形状となるヒンジ部１２９ａを設ける場合に比べて、カメラボディ１の左右方向寸法をより小さくすることができる。
【００３２】
以上説明したように、本実施例によれば、カメラボディ１の外形を有効に利用して外部メモリ２３の装着スペースを確保するため、カメラを従来に比べてさらに小型化することができる。
【００３３】
なお、上記実施例では、一眼レフデジタルカメラについて説明したが、本発明はレンズ一体型デジタルカメラやビデオカメラ等の他の撮像装置にも適用することができる。
【図面の簡単な説明】
【００３４】
【図１】本発明の実施例１であるカメラの上面視断面図（ａ）および正面視断面図（ｂ）。
【図２】実施例１のカメラの外観斜視図。
【図３】実施例１のカメラの底面図。
【図４】実施例１のカメラと従来のカメラとを比較するための上面視断面図。
【図５】従来のカメラの上面視断面図（ａ）および正面視断面図（ｂ）。
【符号の説明】
【００３５】
１  カメラ
２  フラッシュユニット
５  レリーズボタン
７  交換レンズ
２０  グリップ部
２０ａ、２０ｂ  頂点
２１  ミラーボックス
２１ａ  マウント
２３  外部メモリ
２３ａ、２３ｂ  外部メモリの中心線
２４  メモリソケット
２５  主電源電池
２６  電池室
２７  蓋部材
Ｅ  撮影光軸
Ｆ、Ｇ  頂点を通る直線
Ｒ１、Ｒ２  グリップ部の円弧径
【図１】
2006319805.tif 000003
【図２】
2006319805.tif 000004
【図３】
2006319805.tif 000005
【図４】
2006319805.tif 000006
【図５】
2006319805.tif 000007